(57)【特許請求の範囲】
【請求項１】
撮像手段によって被写体を撮像した静止画の画像データと共に、該画像データに対応付けて音声データを第１の記録媒体に記録するカメラにおいて、
所望の音声データを記録した前記第１の記録媒体から音声データを取得する音声データ取得手段と、
前記撮像手段による被写体の撮像と共にマイクロホンから音声データを取得するマイク音声データ取得手段と、
前記音声データ取得手段により取得された音声データと、前記マイク音声データ取得手段により取得された音声データを所定の混合比で混合した音声データを生成する混合音声データ生成手段と、
前記混合音声データ生成手段における前記所定の混合比をユーザの指定に基づいて設定する混合比設定手段と、
前記画像データを前記第１の記録媒体に記録する際に、該画像データに対応付けて前記混合音声データ生成手段により生成された音声データを前記第１の記録媒体に記録する音声データ記録手段と、
を備えたことを特徴とするカメラ。
【請求項２】
前記撮像手段によって撮像し、前記第１の記録媒体に記録する画像データとして、静止画の画像データを記録する静止画の撮影モードの他に、動画の画像データを記録する動画の撮影モードを選択可能に備えたことを特徴とする請求項１のカメラ。
【請求項３】
前記第１の記録媒体に記録された画像データを再生するための再生モードを備えたことを特徴とする請求項１のカメラ。
【請求項４】
前記再生モードにおいて、前記第１の記録媒体に記録された画像データの再生と共に、該画像データに対応付けて前記第１の記録媒体に記録された音声データを再生することを特徴とする請求項３のカメラ。
【請求項５】
前記第１の記録媒体が２つ装着される２つの装着部を備えたことを特徴とする請求項１、３、又は、４のカメラ。
【請求項６】
画像データの再生とは無関係に前記第１の記録媒体に記録された音声データを再生する音声再生機能を備えたことを特徴とする請求項１、及び、請求項３乃至請求項５のうちいずれか１のカメラ。
【発明の詳細な説明】
【０００１】
【発明の属する技術分野】
本発明はカメラに係り、特に画像データと音声データを記録媒体に記録することができるカメラに関する。
【０００２】
【従来の技術】
近年のデジタルスチルカメラでは、静止画だけでなく動画もメモリカードに記録することができ、また、静止画や動画の撮影記録時にマイクロホンで検出した音声を画像に対応させて記録できるものも多くなっている（例えば、特開平７−１５４７３４号公報参照）。
【０００３】
【発明が解決しようとする課題】
しかしながら、このようなカメラで、風景等の様にあまり音のないものを撮影したときや、被撮影者の要望等で録音なしで撮影したときには、再生時の音声が味気なくなってしまうので、このような場合には音楽等を流すなどしてより楽しく観賞できるようにすることが望まれる。
【０００４】
本発明はこのような事情に鑑みてなされたもので、撮影した画像と共にその画像に対応付けて音楽等の所望の音声を記録媒体に記録できるようにし、記録した画像及び音声の再生時においてより楽しく観賞できるカメラを提供することを目的とする。
【０００５】
【課題を解決するための手段】
前記目的を達成するために、請求項１に記載の発明は、撮像手段によって被写体を撮像した静止画の画像データと共に、該画像データに対応付けて音声データを第１の記録媒体に記録するカメラにおいて、所望の音声データを記録した前記第１の記録媒体から音声データを取得する音声データ取得手段と、前記撮像手段による被写体の撮像と共にマイクロホンから音声データを取得するマイク音声データ取得手段と、前記音声データ取得手段により取得された音声データと、前記マイク音声データ取得手段により取得された音声データを所定の混合比で混合した音声データを生成する混合音声データ生成手段と、前記混合音声データ生成手段における前記所定の混合比をユーザの指定に基づいて設定する混合比設定手段と、前記画像データを前記第１の記録媒体に記録する際に、該画像データに対応付けて前記混合音声データ生成手段により生成された音声データを前記第１の記録媒体に記録する音声データ記録手段と、を備えたことを特徴としている。
【０００６】
また、請求項２に記載の発明は、請求項１に記載の発明において、前記撮像手段によって撮像し、前記第１の記録媒体に記録する画像データとして、静止画の画像データを記録する静止画の撮影モードの他に、動画の画像データを記録する動画の撮影モードを選択可能に備えたことを特徴としている。
【０００７】
また、請求項３に記載の発明は、請求項１に記載の発明において、前記第１の記録媒体に記録された画像データを再生するための再生モードを備えたことを特徴としている。
【０００８】
また、請求項４に記載の発明は、請求項３に記載の発明において、前記再生モードにおいて、前記第１の記録媒体に記録された画像データの再生と共に、該画像データに対応付けて前記第１の記録媒体に記録された音声データを再生することを特徴としている。
【０００９】
また、請求項５に記載の発明は、請求項１、３、又は、４に記載の発明において、前記第１の記録媒体が２つ装着される２つの装着部を備えたことを特徴としている。
【００１２】
また、請求項６に記載の発明は、請求項１、及び、請求項３乃至請求項５のうちいずれか１に記載の発明において、画像データの再生とは無関係に前記第１の記録媒体に記録された音声データを再生する音声再生機能を備えたことを特徴としている。
【００１３】
本発明によれば、音楽等の所望の音声データを記録した記録媒体からその音声データを取得し、画像データに対応付けて記録媒体から取得した音声データを画像データと共に記録することができるため、風景等の様にあまり音のないものを撮影したいときや、マイクロホンからの音声を録音したくないとき等に効果的であり、記録画像及び音声の再生時において楽しく観賞することができる。また、ＢＧＭ等の音声の合成を撮影時に行うことができるため、撮影後に音声の編集を行う手間を省くことができる。
【００１４】
【発明の実施の形態】
以下添付図面に従って本発明に係るカメラの好ましい実施の形態について詳説する。
【００１５】
図１は、本発明が適用されるデジタルスチルカメラの構成を示したブロック図である。同図構成のデジタルスチルカメラは、静止画に限らず動画の画像データも記録、再生することができると共に、動画記録時にはマイクロホン２２から音声を取得し、その音声データも画像データと共に画像用メモリカード４０に記録することができるように構成されている。また、マイクロホン２２から取得した音声データと混合して又はこの音声データの代わりに予め用意した音楽等の音声データをＢＧＭ等として画像データと共に記録することもでき、更に、音楽等の音声のみを再生する再生機器（ソリッドオーディオ）としての機能も備えている。
【００１６】
カメラには、各種キーが設けられており、ユーザは、これらのキーを操作することによって同図のキー入力部３６からＣＰＵ３４にキー入力として撮影モード、再生モード等のモード設定やシャッターレリーズ等の各種指示を与えることができるようになっている。ＣＰＵ３４は、キー入力部３６から与えられるキー入力に基づいて各回路に各種処理を実行させる。
【００１７】
先ず、キー入力部３６からのキー入力によってカメラが動画又は静止画の撮影モードに設定された場合の画像データの記録処理について説明する。動画又は静止画の撮影モードに設定されると、撮像素子（ＣＣＤ）１０は、撮像処理を開始し、受光面に結像された被写体像を、各受光センサにより入射光量に応じた量の信号電荷に変換する。各受光センサの信号電荷は、信号電荷の量に応じた電圧信号として順次撮像素子１０から出力される。
【００１８】
撮像素子１０から出力された電圧信号は、プリアンプ１２によって、相関二重サンプリング（ＣＤＳ）処理や、Ｒ，Ｇ，Ｂの各色信号に色分離処理され、各色信号の信号レベルの調整（プリホワイトバランス処理）が行われる。
【００１９】
プリアンプ１２から出力された各色信号は、Ａ／Ｄコンバータ１４によってＲ，Ｇ，Ｂのデジタル信号に変換された後、画像信号処理部１６に入力される。
【００２０】
画像信号処理部１６に入力されたＲ，Ｇ，Ｂのデジタル信号は、輝度信号及び色差信号に変換されると共に、ガンマ補正等の所要の処理が施される。これによって、所定形式の画像データが生成される。
【００２１】
画像信号処理部１６は、動画記録と静止画記録のいずれの処理も行うことができ、動画の撮影モードでレリーズスイッチが押されたときには、そのレリーズスイッチが押されている間、上述のようにして生成される画像データを例えばモーションＪＰＥＧ方式により圧縮し、圧縮した画像データを順次画像用メモリカード４０に記録する。一方、静止画の撮影モードでレリーズスイッチが押されたときには、レリーズスイッチが押されたときの一コマ分の画像データを例えばＪＰＥＧ方式により圧縮し、圧縮した画像データを画像用メモリカード４０に記録する。このようにして記録された一連の動画の画像データ、又は一コマ分の静止画の画像データには所定のファイル名が付けられ、ファイル名によって識別可能になる。
【００２２】
尚、画像用メモリカード４０は、カメラに設けられた画像用スロットに装着されるメモリカードであり、後述の音楽用スロットに装着されるメモリカードと区別するために画像用としたもので、メモリカード自体が画像記録用の用途に限定されたものではない。メモリカードとしては、例えばスマートメディア、ＰＣカード等が知られているが、特にこれらに限定されず、また、カード型である必要もなく任意の形態の記録媒体を用いることができる（以下の音楽用メモリカード４２についても同様）。また、画像データの圧縮処理の方式はモーションＪＰＥＧ、ＪＰＥＧ方式に限らず、他の方式（ＭＰＥＧ等）を使用することも可能である。
【００２３】
また、画像信号処理部１６は、上述の画像データの記録処理とは別に、圧縮する前の画像データをＤ／Ａコンバータ１８に出力する。画像信号処理部１６から出力された画像データは、Ｄ／Ａコンバータ１８によってアナログ信号に変換された後、エンコーダ２０に入力される。そして、エンコーダ２０で、例えば、ＮＴＳＣ方式のカラー複合映像信号に変換され、ビデオ出力端子からビデオ出力される。ビデオ出力端子にモニタやパソコン等の外部機器を接続すれば、現在カメラで撮影中の映像信号が外部機器に転送される。
【００２４】
次いで、キー入力部３６からのキー入力によってカメラが再生モードに設定された場合の画像データの再生処理について説明すると、再生モードにおいてユーザがキー入力部３６から再生するファイルを指定すると、ＣＰＵ３４はそのファイルの画像データの再生を画像信号処理部１６に指示する。画像信号処理部１６は、画像用メモリカード４０からそのファイルの画像データを読み出し、伸張処理して圧縮する前の画像データに復元する。この画像データは、上述と同様にＤ／Ａコンバータ１８及びエンコーダ２０を介してビデオ出力される。
【００２５】
次に、音声データの記録処理について説明する。音声データの記録処理は、動画の撮影モードにおいて上述の画像データの記録処理と共に行われる。動画の撮影モードに設定されると、マイクロホン２２は、音声を検出して電気信号に変換する。この音声信号は、アンプ２４によって増幅された後、Ａ／Ｄコンバータ２６によってデジタル信号に変換され、音声データとして音声信号処理部２８に入力される。
【００２６】
レリーズスイッチが押されると、音声信号処理部２８にはＣＰＵ３４から音声データの記録処理が指示される。これによって、音声信号処理部２８は、上述のようにマイクロホン２２から取得した音声データを例えばＭＰ３等の所定の方式によって圧縮する。そして、動画の画像データが順次画像用メモリカード４０に記録されるのと同時に、その圧縮した音声データを、同時刻の画像データに対応付けて、画像用メモリカード４０に記録する。尚、モーションＪＰＥＧ方式では、音声データは、対応付けられる画像データと同一のファイル内に記録されるが、画像データと音声データとの対応付けはどのような方法であってもよい。
【００２７】
一方、本カメラでは、キー入力部３６からのキー入力によって、上述のようにマイクロホン２２から取得した音声データを画像用メモリカード４０に記録するだけでなく、画像用メモリカード４０とは別の音楽用メモリカード４２に予め記録された音楽の音声データを、マイクロホン２２から取得した音声データと混合して、又は、マイクロホン２２から取得した音声データに換えて、画像用メモリカード４０に記録することができるようになっている。尚、カメラには、画像用スロットと音楽用スロットの２つのスロットが設けられており、音楽用メモリカード４２は音楽用スロットに装着される。また、メモリカード４２に予め記録しておく音声データは音楽に限らず所望の音声データでよいが、ここでは一般的な使用態様を考慮して音楽の音声データとする。
【００２８】
音楽用メモリカード４２から取得した音声データとマイクロホン２２から取得した音声データとを混合する場合のこれらの音声データの音量の割合、即ち、混合比（ＭＩＸ比）は、ユーザがキー入力部３６のキー入力によって自由に設定することができるし、また、マイクロホン２２からの音声データを完全に無効にし、音楽用メモリカード４２から取得した音声データのみを画像用メモリカード４０に記録することも可能である。
【００２９】
また、音楽用メモリカード４２に複数種のファイル（曲）が記録されている場合に、どのファイルの音声データを使用するかはユーザがキー入力部３６からファイル名を指定して自由に決めることができる。
【００３０】
音声信号処理部２８には、ＣＰＵ３４から以上のようなＭＩＸ比等の設定内容が与えられ、音声信号処理部２８はこの設定内容に従って処理を実行する。即ち、音声信号処理部２８は、上述と同様にマイクロホン２２から音声データを取得すると共に、音楽用メモリカード４２から指定されたファイルの音声データを読み出す。音楽用メモリカード４２に記録されている音声データがＭＰ３等の方式によって圧縮されている場合には、一旦、その音声データを伸張処理する。そして、マイクロホン２２から取得した音声データと、音楽用メモリカード４２から取得した音声データを、指定されたＭＩＸ比で混合する。これによって混合された音声データは、圧縮された後、動画の画像データが順次画像用のメモリカード４０に記録されるのと同時に、その画像データに対応付けて、画像用メモリカード４０に記録される。尚、マイクロホン２２から取得される音声データに換えて音楽用メモリカード４２から取得した音声データのみを画像用メモリカード４０に記録する場合に、その音声データの圧縮方式が画像用メモリカード４０に記録する際の圧縮方式と同一であるときには、その圧縮された音声データを音楽用メモリカード４２から画像用メモリカード４０に直接転送することも可能である。
【００３１】
続いて、音声データの再生処理について説明する。音声データの再生処理は、再生モードにおいて上述の画像データの再生処理と共に行われる。再生モードにおいて動画のファイルの再生が指定されると、音声信号処理部２８に対してＣＰＵ３４から音声データの再生の指示が与えられる。音声信号処理部２８は、画像用メモリカード４０から画像信号処理部１６によって読み出される画像データに対応付けられた音声データを画像用メモリカード４０から読み出し、読み出した音声データを伸張処理して圧縮前の音声データに復元する。復元された音声データは、Ｄ／Ａコンバータ３０に出力されてアナログ信号に変換された後、アンプ３２によって増幅され、オーディオ出力端子からオーディオ出力される。オーディオ出力端子にモニタやパソコン等の外部機器を接続すれば、上記ビデオ出力端子から出力される画像信号と共に音声信号を外部機器に転送することができる。
【００３２】
また、本カメラでは、キー入力部３６からのキー入力によって音楽再生モードに設定すると、画像データの再生とは無関係に音楽用メモリカード４２に記録された音楽等の音声データのみを再生することができる。即ち、ソリッドオーディオとして使用することができる。音楽再生モードにおいてユーザがキー入力部３６から再生するファイルを指定すると、ＣＰＵ３４はそのファイルの音声データの再生を音声信号処理部２８に指示する。音声信号処理部２８は、音楽用メモリカード４２から指定されたファイルの音声データを読み出し、その音声データを上述と同様にＤ／Ａコンバータ３０、及びアンプ３２を介してオーディオ出力する。尚、音声の再生のみではなく、音声データを外部機器からライン入力できるようにして、画像データの記録とは無関係に音楽用メモリカード４２に音声データの記録のみを行えるようにすることも可能である。
【００３３】
次に、動画記録時の処理手順について図２のフローチャートを用いて説明する。まず、ＣＰＵ３４は、キー入力部３６からのキー入力が動画の撮影モードになっているか否かを判定する（ステップＳ１０）。例えば、再生モードとなっている場合のようにＮＯと判定したときには、撮影不可とし（ステップＳ１２）、次のキー入力を待つ。
【００３４】
一方、ステップＳ１０において動画の撮影モードとなっていると判定した場合には、次に、画像用メモリカード４０が画像用スロットに装着されているか否かを判定する（ステップＳ１４）。ＮＯの場合には、上述と同様に撮影不可として（ステップＳ１２）、次のキー入力を待つ。ステップＳ１４において画像用メモリカード４０が画像用スロットに装着されていると判定した場合には、次に、音楽用メモリカード４２が音楽用スロットに装着されているか否かを判定する（ステップＳ１６）。ＮＯと判定した場合には、画像用メモリカード４０に画像データと共に記録する音声データをマイクロホン２２から取得した音声データのみとする。即ち、レリーズスイッチが押されると（ステップＳ１８）、撮像素子１０から取得した画像データと、マイクロホン２２から取得した音声データとを画像用メモリカード４０に記録する（ステップＳ２０）。
【００３５】
一方、上記ステップＳ１６において、ＹＥＳ、即ち、音楽用メモリカード４２が音楽用スロットに装着されていると判定した場合、キー入力部３６からのキー入力がＢＧＭありに設定されているか否かを判定する（ステップＳ２２）。ＮＯと判定した場合には、上述と同様にレリーズスイッチが押されると（ステップＳ１８）、撮像素子１０から取得した画像データと、マイクロホン２２から取得した音声データとを画像用メモリカード４０に記録する（ステップＳ２０）。
【００３６】
一方、ステップＳ２２において、ＹＥＳ、即ち、ＢＧＭありに設定されていると判定した場合には、次に、キー入力部３６からのキー入力に基づいて曲を選択する（ファイルの選択）（ステップＳ２４）。続いて、キー入力部３６からのキー入力に基づいてマイクロホン２２からの音声データと、音楽用メモリカード４２からの音声データ（音楽）とのＭＩＸ比を決定する（ステップＳ２６）。以上の設定が終了して上述と同様にレリーズスイッチが押されると（ステップＳ２８）、音楽用メモリカード４２から選択された曲の音声データを読み出すと共に、マイクロホン２２から音声データを取得し、これらの音声データを上記ＭＩＸ比により混合した音声データを生成する。そして、この音声データを撮像素子１０から取得された画像データと共に、その画像データに対応付けて画像用のメモリカード４０に記録する（ステップＳ３０）。
【００３７】
以上、上記実施の形態では、動画の画像データに対応付けて音声データを記録することができる場合について説明したが、静止画の画像データに対応付けて音声データを記録することができる場合には、この場合にも動画の場合と同様に本発明を適用することができる。
【００３８】
また、上記実施の形態では、画像用メモリカード４０を装着する画像用スロットと音楽用メモリカード４２を装着する音楽用スロットとを専用に設けるようにしたが、このように２つのスロットを設ける場合に、各スロットの用途を特に画像用又は音楽用に限定する必要はなく、音楽用メモリカード４２を使用しない場合には、両方のスロットを画像用として、画像用メモリカード４０を使用しない場合には両方のスロットを音楽用として使用できるようにし、例えば、ファイルの複写等の編集等に２つのスロットを使用できるようにしてもよい。
【００３９】
また、上記実施の形態では、画像用メモリカード４０と音楽用メモリカード４２とをそれぞれ別々に装着する２つのスロットが設けられている場合について説明したが、必ずしも２つのスロットを設ける必要はなく、１つのスロットで上述の処理を行うようにしてもよい。
【００４０】
例えば、撮影を行う前に音楽用メモリカード４２をスロットに装着してその音楽用メモリカード４２から必要な音声データを取得し、その音声データを内部のメモリに格納しておく。この処理が終了したら音楽用メモリカード４２をスロットから取り出し、画像用メモリカード４０をスロットに装着する。これによって、マイクロホン２２から取得した音声データと混合して、又は、その音声データの代わりに、カメラ内部のメモリに格納した音楽等の音声データを画像用メモリカード４０に記録することができる。
【００４１】
また、上記実施の形態では音楽等の音声データを音楽用メモリカード４２に記録するようにしたが、カメラ内部の不揮発性メモリにメーカが提供する音楽等の音声データを予め格納しておき、この音声データを使用することによって音楽用メモリカード４２及び音楽用スロットの使用を不要にしてもよい。同様にカメラ内部の不揮発性メモリに音楽等の音声データを予め格納できるようにすると共に、この不揮発性メモリに格納した音声データをユーザが自由に書き換えられるようにしてもよい。この場合に音声データを書き換える方法は、書換え用の音声データを記録したメモリカードをスロットに装着することによって行えるようにしてもよいし、ライン入力によって外部機器から音声データを転送することによって行えるようにしてもよい。また、画像用メモリカード４０に音楽等の音声データを画像データとは識別できる形態（フォルダ名やファイル拡張子等）で予め記録しておき、マイクロホン２２から取得した音声データと混合等する音声データを画像用メモリカード４０から読み出すようにしてもよい。
【００４２】
また、上記実施の形態では、マイクロホン２２から取得した音声データと、音楽用メモリカード４２から取得した音声データとを所望のＭＩＸ比で混合できるようにしたが、これに限らず、単に、マイクロホン２２から取得した音声データと、音楽用メモリカード４２から取得した音声データのいずれか一方のみの記録を選択できるようにしてもよい。
【００４３】
また、上記実施の形態では、デジタルスチルカメラにおいて本発明を適用する場合について説明したが、デジタルスチルカメラに限らず、画像と共に音声を記録する機能を有するカメラ（ビデオカメラ等）においても本発明を適用できる。
【００４４】
【発明の効果】
以上説明した本発明に係るカメラによれば、音楽等の所望の音声データを記録した記録媒体からその音声データを取得し、画像データに対応付けて記録媒体から取得した音声データを画像データと共に記録することができるため、風景等の様にあまり音のないものを撮影したいときや、マイクロホンからの音声を録音したくないとき等に効果的であり、記録画像及び音声の再生時において楽しく観賞することができる。また、ＢＧＭ等の音声の合成を撮影時に行うことができるため、撮影後に音声の編集を行う手間を省くことができる。
【図面の簡単な説明】
【図１】図１は、本発明が適用されるデジタルスチルカメラの構成を示したブロック図である。
【図２】図２は、動画記録時の処理手順を示したフローチャートである。
【符号の説明】
１０…撮像素子、１６…画像信号処理部、２０…エンコーダ、２２…マイクロホン、２８…音声信号処理部、３４…ＣＰＵ、３６…キー入力部、４０…画像用メモリカード、４２…音楽用メモリカード
【図１】
0004633225.tif 000002
【図２】
0004633225.tif 000003